(57)【要約】【課題】穀粒の搬送詰まりが防止できるラセンタイプの穀粒の搬送装置を提供することを課題としている。【解決手段】回転駆動される横方向のラセン軸２１の外周にラセン板２２が取り付けられてなる横方向の横搬送ラセン１７の端部側に、回転駆動される縦方向のラセン軸２３の外周にラセン板２４が取り付けられてなる縦方向の縦搬送ラセン１８を配置し、縦搬送ラセン１８側に、横搬送ラセン１７の搬送下手側の端部側に付着する混入物を除去する除去部３６，４０を、横搬送ラセン１７のラセン軸２１の軸心高さと略同一高さ位置に一体回転するように設けた。【選択図】図２
2006345821.tif 000002
【特許請求の範囲】
【請求項１】
回転駆動される横方向のラセン軸（２１）の外周にラセン板（２２）が取り付けられてなる横方向の横搬送ラセン（１７）と、回転駆動される縦方向のラセン軸（２３）の外周にラセン板（２４）が取り付けられてなる縦方向の縦搬送ラセン（１８）とを備え、横搬送ラセン（１７）の端部側に縦搬送ラセン（１８）が配置され、回転駆動される横搬送ラセン（１７）によって搬送される穀粒を、回転駆動される縦搬送ラセン（１８）に受け継がせて上方に搬送する穀粒の搬送装置において、上記縦搬送ラセン（１８）側に、横搬送ラセン（１７）の搬送下手側の端部側に付着する混入物を除去する除去部（３６），（４０）を、一体回転するように設け、該除去部（３６），（４０）を横搬送ラセン（１７）のラセン軸（２１）の軸心高さと略同一高さ位置に配置した穀粒の搬送装置。
【請求項２】
除去部（３６），（４０）をラセン板（２４）に一体的に設けた請求項１の穀粒の搬送装置。
【発明の詳細な説明】
【技術分野】
【０００１】
本発明は、搬送用のラセンを備えた穀粒の搬送装置に関する。
【背景技術】
【０００２】
従来回転駆動される横方向のラセン軸の外周にラセン板が取り付けられてなる横方向の横搬送ラセンと、回転駆動される縦方向のラセン軸の外周にラセン板が取り付けられてなる縦方向の縦搬送ラセンとを備え、横搬送ラセンの端部側に縦搬送ラセンが配置され、回転駆動される横搬送ラセンによって搬送される穀粒を、回転駆動される縦搬送ラセンに受け継がせて上方に搬送する穀粒の搬送装置が公知となっている（例えば特許文献１，２参照）。
【特許文献１】実開平３−１２７３６号公報
【特許文献１】実開平６−３８４５１号公報
【発明の開示】
【発明が解決しようとする課題】
【０００３】
上記特許文献１の搬送装置は、横搬送ラセンの搬送下手側の端部側にわら屑等が巻き付き等によって付着し、穀粒の円滑な搬送を妨げる場合があるという欠点がある。これに対して特許文献２の搬送装置は、上記わら屑等の掻き取って除去するための棒状の除去部材が設けられているが、ラセン軸に取り付けられており、ラセン板との間に距離があるため、除去部材にわら屑等が巻き付き、穀粒の円滑な搬送を妨げる場合があるという欠点があった。
【課題を解決するための手段】
【０００４】
上記課題を解決するための本発明の穀粒の搬送装置は、回転駆動される横方向のラセン軸２１の外周にラセン板２２が取り付けられてなる横方向の横搬送ラセン１７と、回転駆動される縦方向のラセン軸２３の外周にラセン板２４が取り付けられてなる縦方向の縦搬送ラセン１８とを備え、横搬送ラセン１７の端部側に縦搬送ラセン１８が配置され、回転駆動される横搬送ラセン１７によって搬送される穀粒を、回転駆動される縦搬送ラセン１８に受け継がせて上方に搬送する穀粒の搬送装置において、上記縦搬送ラセン１８側に、横搬送ラセン１７の搬送下手側の端部側に付着する混入物を除去する除去部３６，４０を、一体回転するように設け、該除去部３６，４０を横搬送ラセン１７のラセン軸２１の軸心高さと略同一高さ位置に配置したことを第１の特徴としている。
【０００５】
第２に、除去部３６，４０をラセン板２４に一体的に設けたことを特徴としている。
【発明の効果】
【０００６】
以上のように構成される本発明の構造によると、横搬送ラセンの搬送下手側の端部側に巻き付き等によって付着する藁屑等の混入物が、縦搬送ラセンと一体回転する除去部によって除去され、穀粒の搬送を円滑に行うことができるという効果がある。なお除去部をラセン板に一体的に設けることによって、除去部を容易に設けることができるという利点がある。
【発明を実施するための最良の形態】
【０００７】
図１は本発明の穀粒搬送装置を採用した脱穀装置の側面図である。該脱穀装置１は、刈取穀稈を脱穀する脱穀室２と、脱穀された穀粒を選別する選別室３とを備えている。脱穀室２には、フィードチェーン４によって搬送された穀稈を脱穀処理する扱胴６が内装されている。選別室３は、脱穀室２の下方に位置する。選別室３と脱穀室２とは、扱降し物を漏下する受網７によって区切られている。
【０００８】
選別室３には、漏下された穀粒を揺動選別する揺動選別体８、選別風を起風する唐箕ファン９、藁屑等を強制排出する排塵ファン１１、揺動選別体８によって選別された一番物を収容する一番収容部１２、一番物として収容されなかった枝梗粒，穂切粒等を含む二番物を収容する二番収容部１３、一番収容部１２に収容された一番物を揚上搬送する揚穀装置１４、二番収容部１３に収容された二番物を揚上搬送して揺動選別体８に還元する還元搬送装置１６等が備えられている。
【０００９】
上記構成は従来の脱穀装置と同様であり、従来同様の脱穀，選別，穀粒の搬送動作等を行う。本発明の穀粒搬送装置は上記二番物還元用の還元搬送装置１６に採用されている。
【００１０】
図２〜図４に示されるように上記還元搬送装置１６は、左右方向の二番収容部１３内に設けられた二番横ラセン１７と、二番横ラセン１７の一端側に立設された二番縦ラセン１８とを備えている。二番縦ラセン１８は、二番収容部１３の一端側に立設された略円筒形形状の搬送筒１９によって覆われている。
【００１１】
二番横ラセン１７は、脱穀装置１側に回動自在に軸支された横ラセン軸２１の外周にラセン板２２が取り付けられた構造となっている。二番縦ラセン１８は、脱穀装置１側に回動自在に軸支された縦ラセン軸２３の外周にラセン板２４が取り付けられた構造となっている。縦ラセン軸２３は横ラセン軸１７の前方に配置されている。二番縦ラセン１８のラセン板２４が横ラセン軸２１に接触することはない。
【００１２】
縦ラセン軸２３の下端にはベベルギヤ２６が一体回転するように取り付けられている。該ベベルギヤ２６に噛合するベベルギヤ２７が、横ラセン軸２１に平行な軸２８に取り付けられている。該軸２８には、スプロケット２９が取り付けられている。該スプロケット２９と、横ラセン軸２１の端部に取り付けられたスプロケット３１との間にチェン３２が掛けられている。
【００１３】
横ラセン軸２１が回転駆動されることによって二番横ラセン１７が回転し、両スプロケット２９，３１とチェン３２、ベベルギヤ２６，２７を介して縦ラセン軸２３に駆動力が伝動されて縦ラセン軸２３が回転駆動され、二番縦ラセン１８が回転する。
【００１４】
二番横ラセン１７の回転によって二番収容部１３に収容された二番物を二番収容部１３の一端部まで横搬送して、回転する二番縦ラセン１８に受け継がせ、受け継がれた二番物を、二番縦ラセン１８の回転によって揚上搬送し、搬送筒１９の上部に設けられた排出部３３から排出させ、揺動選別体に還元する。
【００１５】
図２〜図６に示されるように、二番縦ラセン１８のラセン板２４における横ラセン軸２１の軸心高さと略同一高さ位置の部分は、周縁の一部が直線状に切り落とされている。図６，図７に示されるように、周縁が切り落とされたラセン板２４の切落部分３４の下面（非搬送面）には、切落部分３４の端部から突出する板状の付着物除去体３６が一体的に固定されている。
【００１６】
付着物除去体３６は、二番縦ラセン１８のラセン板２４における横ラセン軸２１の軸心高さと略同一高さ位置の部分を凹凸状に形成する。付着物除去体３６の先端部分は、両側が比較的大きく面取りされ、傾斜している。付着物除去体３６の先端はラセン板２４の周縁（切り落とされていない部分）より外側に突出することはない。
【００１７】
前述のように二番横ラセン１７によって二番物が横搬送される際、横ラセン軸１７の搬送下手側の端部には、わらの巻き付き等によって付着物の付着が発生する。特に二番物はわら屑等の混入割合が高く、倒伏材や青材等の長わらの発生が多い材料では、発生頻度が一層高い。
【００１８】
これに対して、二番縦ラセン１８が回転駆動されているため、横ラセン軸２１の軸心高さと略同一高さ位置において、付着物除去体３６が周期的に横ラセン軸２１方向に突出して出現し、横ラセン軸２１に巻き付いたわらの掻き取り等を行い、横ラセン軸２１に付着する付着物の除去を行う。付着物除去体３６の先端部分は両側が面取りされ傾斜しているため、回転方向に対して逃げ角が形成され、付着物除去体３６へのわら等の巻き付きは防止される。
【００１９】
これにより横ラセン軸２１に巻く付くわら等による穀粒の搬送詰まり等が防止され、穀粒の搬送が円滑に行われる。また横ラセン軸２１の清掃の頻度を減少させることができる。付着物除去体３６がラセン板２４に一体的に設けられ、回転方向に対して逃げ角が形成されているため、わら等が付着物除去体３６によって縦ラセン軸２３側に巻き付くような不都合も防止される。
【００２０】
なお二番縦ラセン１８のラセン板２４には、搬送面の一部に穂切粒や枝梗粒を単粒化する処理突起３７が設けられている。また横ラセン軸２１における二番縦ラセン１８に相対する部分には、ラセン板２４を設けることができないため、掻出板３５がラセン板２４の外周側に位置するように、一体的に設けられている。掻出板３５が横ラセン軸２１と一体回転することによって、二番横ラセン１７と二番縦ラセン１８との間に溜まるわら屑や縦ラセン軸２３に巻き付こうとするわら等を掻き出す。
【００２１】
一方図８に示されるように、二番縦ラセン１８のラセン板２４における横ラセン軸２１の軸心高さと略同一高さ位置の部分を切り欠き、一部を突起状に形成して、ラセン板２４を凹凸状に形成してもよい。
【００２２】
この場合二番縦ラセン１８の回転に伴い、上記切り欠きによって形成される突起部分４０が、横ラセン軸２１の軸心高さと略同一高さ位置において、周期的に横ラセン軸２１方向に突出して出現し、横ラセン軸２１に巻き付いたわらの掻き取り等を行い、横ラセン軸２１に付着する付着物の除去を行い、上記付着物除去体として作用する。
【００２３】
これにより上記同様の効果を得ることができる。上記突起部分４０は回転方向に対して逃げ角が形成されており、わら等が突起部分４０（付着物除去体）によって縦ラセン軸２３側に巻き付くような不都合も防止される。
【００２４】
図２，図４，図９に示されるように、搬送筒１９の周面下部には、横孔３８が設けられている。縦ラセン軸２３には、横孔３８に相対する部分に、水や屑等を押し出す排出板３９が一体的に取り付けられている。二番縦ラセン１８の回転に伴い、排出板３９が一体回転し、水や屑等を二番縦ラセン１８の外周方向に跳ね飛ばして押し出す。
【００２５】
これにより水分の他、湿ったり濡れたりしている屑も排出板３９によって強制的に跳ね飛ばされ、横孔３８から排出されるため、前述のベベルギヤ２６，２７が収容されたギヤケース４１内への水分の浸入が防止され、ベベルギヤ２６，２７やベアリング等の破損が防止される。
【００２６】
なお，図９に示されるように、排出板３９は、回転方向の下手側に傾斜をつけて設けられているため、水や屑等の二番縦ラセン１８の外周方向への押し出す作用は高い。
【００２７】
上記実施形態においては、本発明の穀粒搬送装置を還元搬送装置１６に応用したものを例に説明したが、本発明の穀粒搬送装置を揚穀装置１４等に採用することもでき、上記同様の効果を得ることができる。
【図面の簡単な説明】
【００２８】
【図１】脱穀装置の右側面図である。
【図２】二番横ラセンと二番縦ラセンとの交差部分の要部背面図である。
【図３】二番縦ラセン部分の要部左側断面図である。
【図４】搬送筒の斜視図である。
【図５】二番横ラセンと二番縦ラセンとを示す後方斜視図である。
【図６】二番横ラセンと二番縦ラセンとを示す平面図である。
【図７】二番縦ラセンの斜視図である。
【図８】他の実施形態の二番縦ラセンと二番横ラセンとを示す平面図である。
【図９】図２のＡ−Ａ断面図である。
【符号の説明】
【００２９】
１７  二番横ラセン（横搬送ラセン）
２１  横ラセン軸（ラセン軸）
２２  ラセン板
２３  縦ラセン軸（ラセン軸）
２４  ラセン板
３６  付着物除去体（除去部）
４０  突起部分（除去部）
【図１】
2006345821.tif 000003
【図２】
2006345821.tif 000004
【図３】
2006345821.tif 000005
【図４】
2006345821.tif 000006
【図５】
2006345821.tif 000007
【図６】
2006345821.tif 000008
【図７】
2006345821.tif 000009
【図８】
2006345821.tif 000010
【図９】
2006345821.tif 000011